(57)【要約】【課題】グリップを本体から容易に着脱させることができる。【解決手段】浴槽用手摺り１００は、互いに対向する第１縦フレーム２１および第２縦フレーム３１を有する本体１０と、第２縦フレーム３１の前面に取り付けられる取付部４１、および、取付部４１に接続され、利用者が把手可能なグリップ部４２を有するグリップ１２と、取付部４１を第２縦フレーム３１に固定する固定ネジ４３とを備えている。取付部４１には、第１固定孔４６が設けられ、第２縦フレーム３１には、内周面に雌ねじが形成された第２固定孔３１ｂが設けられている。固定ネジ４３は、第1固定孔４６より前側に設けられた頭部４３ａと、頭部４３ａから後方の延び、第１固定孔４６および第２固定孔３１ｂに挿入され、外周面に雄ねじが形成された軸部４３ｂとを有する。【選択図】図６
2019107362.tif 000002
【特許請求の範囲】
【請求項１】
浴槽の側壁の一方側に配置される第１縦フレームと、浴槽の側壁の他方側に配置され、前記第１縦フレームと対向する第２縦フレームと、前記第１縦フレームと前記第２縦フレームとに架け渡された横フレームとを有する本体と、
前記第２縦フレームの前記第１縦フレームと反対側の面に取り付けられる取付部と、前記取付部に接続され、利用者が把手可能なグリップ部とを有するグリップと、
前記取付部を前記第２縦フレームに固定する固定ネジと、
を備え、
前記取付部には、前記取付部の前記第１縦フレームと反対側の面から前記取付部の前記第１縦フレーム側の面に向かって貫通した第１固定孔が設けられ、
前記第２縦フレームには、内周面に雌ねじが形成された第２固定孔が設けられ、
前記固定ネジは、
前記第１固定孔よりも前記第１縦フレームと反対側に設けられた頭部と、
前記頭部から前記第１縦フレーム側に延び、前記第１固定孔および前記第２固定孔に挿入され、外周面に雄ねじが形成された軸部と、
を有する、浴槽用手摺り。
【請求項２】
前記第１縦フレームと前記第２縦フレームとの間であって、浴槽の側壁の他方側に配置される押圧板と、
一端が前記押圧板を支持するボルト軸と、
前記ボルト軸と螺合し、前記第２縦フレームに回転自在に設けられたナットと、
前記ナットを覆い、前記第２縦フレームに回転自在に設けられ、前記ナットを回転させるノブと、
を備え、
前記第２縦フレームには、挿入孔が形成され、
前記取付部には、上端から下方に向かって凹んだ貫通凹部が形成され、
前記ノブは、一部が前記貫通凹部の底面に載置されるように、前記貫通凹部および前記挿入孔に挿入された、請求項１に記載された浴槽用手摺り。
【請求項３】
前記ノブは、
利用者が把持し、かつ、回転させる把持部と、
前記把持部に接続され、前記第１縦フレーム側に延びた円筒状の筒状部と、
前記筒状部の前記第１縦フレーム側の端に接続され、前記筒状部よりも径が大きい拡径部と、
を有し、
前記拡径部は、前記貫通凹部の底面に載置され、
前記拡径部が前記貫通凹部の底面に載置された状態において、前記貫通凹部には、前記拡径部の前記第１縦フレームと反対側に配置されたフランジが設けられている、請求項２に記載された浴槽用手摺り。
【請求項４】
前記取付部および前記固定ネジを覆うカバーを備えた、請求項１から３までの何れか１つに記載された浴槽用手摺り。
【請求項５】
前記カバーの前記取付部側の面には、前記固定ネジの前記頭部と接触し、前記頭部を囲む筒状凸部が設けられている、請求項４に記載された浴槽用手摺り。
【発明の詳細な説明】
【技術分野】
【０００１】
本発明は、浴槽用手摺りに関する。
【背景技術】
【０００２】
従来から、高齢者などの利用者が浴槽に出入りする際、または、利用者が浴槽内から立ち上がる際に、利用者によって把持される浴槽用手摺りが知られている。利用者は浴槽用手摺りを把持することによって、体重を支えることができる。この種の浴槽用手摺りの一例として、特許文献１には、浴槽の側壁に取り付けられる浴槽用手摺りが開示されている。
【０００３】
特許文献１に開示された浴槽用手摺りは、略Ｌ字状の本体フレームと、本体フレームに対して可動可能な略Ｌ字状の可動フレームとを有する本体を備えている。本体フレームは、浴槽の側壁の外側面に配置される第１垂直部を有する。可動フレームは、浴槽の側壁の内側面に配置される第２垂直面を有する。上記浴槽用手摺りは、更に、第２垂直部に設けられたグリップを備えている。また、上記浴槽用手摺りは、第１垂直部に配置され、浴槽の側壁を可動フレームに向かって（言い換えると、側壁を外側から内側に向かって）押し付ける押圧板を備えている。上記浴槽用手摺りは、更に、押圧板を第１垂直部に対して接近または離反するように相対移動させるトルク伝達ハンドルを備えている。そして、トルク伝達ハンドルは、押圧板を支持するボルト軸と、ボルト軸と螺合し、第１垂直部に回転自在に取り付けられたナットと、ナットに対して回転自在に外装されたノブと、ノブからナットへトルクを伝達可能なトルク伝達機構とを備えている。
【０００４】
ノブを所定の方向に回転させると、ノブからナットへトルクが伝達される。トルクが伝達されたナットが回転すると、ナットと螺合したボルト軸は、押圧板と共に第２垂直部に向かって（言い換えると、浴槽の内側に向かって）移動する。これにより、浴槽の側壁が押圧板と第２垂直部とにより挟み込まれ、浴槽用手摺りを浴槽の側壁に強固に取り付けることができる。
【先行技術文献】
【特許文献】
【０００５】
【特許文献１】特許第５５４８８３５号公報
【発明の概要】
【発明が解決しようとする課題】
【０００６】
ところで、特許文献１に開示された浴槽用手摺りでは、グリップは、浴槽内で座っている利用者が立ち上がる際に使用されるものであり、利用者の体重が掛けられるものである。そのため、グリップは、定期的にメンテナンスされることが好ましい。そのため、グリップは、本体から容易に取り外されることが好ましい。
【０００７】
本発明はかかる点に鑑みてなされたものであり、その目的は、浴槽の側壁に取り付けられる浴槽用手摺りにおいて、グリップを本体から容易に着脱させることが可能な浴槽用手摺りを提供することである。
【課題を解決するための手段】
【０００８】
本発明に係る浴槽用手摺りは、本体と、グリップと、固定ネジと、を備えている。前記本体は、浴槽の側壁の一方側に配置される第１縦フレームと、浴槽の側壁の他方側に配置され、前記第１縦フレームと対向する第２縦フレームと、前記第１縦フレームと前記第２縦フレームとに架け渡された横フレームとを有する。前記グリップは、前記第２縦フレームの前記第１縦フレームと反対側の面に取り付けられる取付部と、前記取付部に接続され、利用者が把手可能なグリップ部とを有する。前記固定ネジは、前記取付部を前記第２縦フレームに固定する。前記取付部には、前記取付部の前記第１縦フレームと反対側の面から前記取付部の前記第１縦フレーム側の面に向かって貫通した第１固定孔が設けられている。前記第２縦フレームには、内周面に雌ねじが形成された第２固定孔が設けられている。前記固定ネジは、前記第１固定孔よりも前記第１縦フレームと反対側に設けられた頭部と、前記頭部から前記第１縦フレーム側に延び、前記第１固定孔および前記第２固定孔に挿入され、外周面に雄ねじが形成された軸部と、を有する。
【０００９】
上記浴槽用手摺りによれば、グリップの第１縦フレームと反対側の面から、固定ネジの軸部を取付部の第１固定孔、および、第２縦フレームの第２固定孔に挿入することで、グリップを第２縦フレームに取り付けることができる。また、グリップが第２縦フレームに取り付けられている状態において、グリップの第１縦フレームと反対側の面から、固定ネジの軸部を取付部の第１固定孔、および、第２縦フレームの第２固定孔から引き抜くことで、グリップを第２縦フレームから取り外すことができる。よって、浴槽用手摺りが組み立てられた状態において、グリップの第２縦フレームへの取り付け、および、グリップの第２縦フレームからの取り外しを容易に行うことができる。したがって、グリップをメンテナンスする際、グリップの着脱を容易に行うことができる。
【００１０】
本発明の好ましい一態様によれば、前記浴槽用手摺りは、押圧板と、ボルト軸と、ナットと、ノブと、を備えている。前記押圧板は、前記第１縦フレームと前記第２縦フレームとの間であって、浴槽の側壁の他方側に配置される。前記ボルト軸は、一端が前記押圧板を支持する。前記ナットは、前記ボルト軸と螺合し、前記第２縦フレームに回転自在に設けられている。前記ノブは、前記ナットを覆い、前記第２縦フレームに回転自在に設けられている。前記第２縦フレームには、挿入孔が形成されている。前記取付部には、上端から下方に向かって凹んだ貫通凹部が形成されている。前記ノブは、一部が前記貫通凹部の底面に載置されるように、前記貫通凹部および前記挿入孔に挿入されている。
【００１１】
上記態様によれば、ノブは、一部が取付部の貫通凹部の底面に載置された状態で、第２縦フレームの挿入孔に挿入されている。よって、グリップに対するノブの位置をズレ難くすることができる。また、ノブを取付部の貫通凹部の底面に載置させた状態で、ノブおよび取付部を同時に第２縦フレームに取り付けることができる。よって、浴槽用手摺りの組み立て時間を軽減することができる。
【００１２】
本発明の好ましい他の一態様によれば、前記ノブは、把持部と、筒状部と、拡径部と、を有する。前記把持部は、利用者が把持し、かつ、回転させる。前記筒状部は、前記把持部に接続され、前記第１縦フレーム側に延びた円筒状のものである。前記拡径部は、前記筒状部の前記第１縦フレーム側の端に接続され、前記筒状部よりも径が大きい。前記拡径部は、前記貫通凹部の底面に載置されている。前記拡径部が前記貫通凹部の底面に載置された状態において、前記貫通凹部には、前記拡径部の前記第１縦フレームと反対側に配置されたフランジが設けられている。
【００１３】
上記態様によれば、グリップを第２縦フレームに取り付けた際、ノブの拡径部は、貫通凹部のフランジと第２縦フレームとによって挟持された状態で、第２縦フレームに取り付けられる。よって、ノブが第２縦フレームから取り外され難くすることができる。また、グリップを第２縦フレームに固定するための固定ネジで、ノブを第２縦フレームに取り付けることができる。よって、部品点数を減らすことができる。
【００１４】
本発明の好ましい他の一態様によれば、前記浴槽用手摺りは、前記取付部および前記固定ネジを覆うカバーを備えている。
【００１５】
上記態様によれば、取付部および固定ネジはカバーによって覆われているため、取付部および固定ネジが外部に露出することで美観が損なわれなくすることができる。
【００１６】
本発明の好ましい他の一態様によれば、前記カバーの前記取付部側の面には、前記固定ネジの前記頭部と接触し、前記頭部を囲む筒状凸部が設けられている。
【００１７】
例えば、浴槽用手摺りを長期間使用することで、固定ネジと第２縦フレームの第２固定孔との固定状態が緩んで、固定ネジの頭部が取付部から突出することがあり得る。しかしながら、上記態様によれば、固定ネジの頭部は、筒状凸部に囲まれており、筒状凸部に接触している。よって、筒状凸部との接触によって、固定ネジの頭部が取付部から突出し難くなる。したがって、固定ネジと第２縦フレームの第２固定孔との固定状態を緩み難くすることができる。
【発明の効果】
【００１８】
本発明によれば、グリップを本体から容易に着脱させることができる。
【図面の簡単な説明】
【００１９】
【図１】実施形態に係る浴槽用手摺りの斜視図である。
【図２】実施形態に係る浴槽用手摺りの分解斜視図である。
【図３】実施形態に係る浴槽用手摺りの側面断面図である。
【図４】側部グリップの斜視図である。
【図５】側部グリップおよびノブが第２縦フレームに取り付けられた状態を示す側面断面図である。
【図６】第２縦フレーム、側部グリップ、カバーおよびノブの分解斜視図である。
【図７】側部グリップおよびノブの斜視図である。
【図８】側部グリップ、第２押圧板およびトルク伝達ハンドルの分解斜視図である。
【図９】カバーの斜視図である。
【図１０】ノブの側面断面図である。
【図１１】第１環状部材と第２環状部材とが噛み合っている状態を示す図である。
【図１２】他の実施形態に係る可動フレーム、側部グリップ、カバー、第２押圧板およびノブの分解斜視図である。
【図１３】他の実施形態に係る側部グリップおよびノブが第２縦フレームに取り付けられた状態を示す側面断面図である。
【発明を実施するための形態】
【００２０】
以下、図面を参照しながら、本発明の実施形態に係る浴槽用手摺りについて説明する。ただし、以下に説明する実施形態は、本発明の実施形態に過ぎず、当然ながら本発明を限定することを意図したものではない。
【００２１】
図１は、浴槽用手摺り１００の斜視図である。図２は、浴槽用手摺り１００の分解斜視図である。図３は、浴槽用手摺り１００の側面断面図である。以下の説明では、前、後、左、右、上、下とは、浴槽用手摺り１００を浴槽２（図３参照）に取り付けた状態において、浴槽２の内側から見たときの前、後、左、右、上、下をそれぞれ意味するものとする。言い換えると、前、後、左、右、上、下とは、後述する側部グリップ１２を正面から見たときの前、後、左、右、上、下をそれぞれ意味するものとする。各図面中における符号Ｆ、Ｒｒ、Ｌ、Ｒ、Ｕ、Ｄは、それぞれ前、後、左、右、上、下を表す。ただし、これらの方向は説明の便宜上定めた方向に過ぎず、浴槽用手摺り１００の態様を何ら限定するものではない。
【００２２】
浴槽用手摺り１００は、高齢者などの利用者が浴室に配置された浴槽２（図３参照）に出入りする際、または、浴槽２内で座っている状態から立ち上がる際に、利用者によって把持され、利用者を支えるものである。図３に示すように、浴槽用手摺り１００は、例えば、浴槽２の側壁２ａを挟むようにして浴槽２に取り付けられる。図１に示すように、浴槽用手摺り１００は、本体１０と、上部グリップ１１と、側部グリップ１２と、カバー１４と、第１押圧板１５と、第２押圧板１６と、トルク伝達ハンドル１７とを備えている。
【００２３】
本体１０は、下方に開口した略コ字状の部材である。図３に示すように、本体１０は、略Ｌ字状の固定フレーム２０と、略Ｌ字状の可動フレーム３０とを有している。固定フレーム２０は、第１縦フレーム２１と、第１横フレーム２２とを有している。第１縦フレーム２１は、浴槽２の側壁２ａの一方側（図３では、側壁２ａの右側）に配置されている。本実施形態では、第１縦フレーム２１は、浴槽２の外側、すなわち、利用者が身体を洗う洗い場側に配置されている。第１縦フレーム２１は、上下方向に延びており、浴槽２の側壁２ａと平行になるように配置されている。なお、本明細書において「平行」には、厳密に平行の状態の他に、若干傾いた状態も含まれる。第１横フレーム２２は、第１縦フレーム２１の上端から前方（言い換えると、可動フレーム３０に向かう方向）に延びている。
【００２４】
なお、本実施形態では、固定フレーム２０には、保護カバー２３ａ、２３ｂ、２３ｃが取り付けられていてもよい。例えば、保護カバー２３ａは、第１横フレーム２２の上面を覆うカバーであり、保護カバー２３ｂは、第１縦フレーム２１の後面を覆うカバーである。保護カバー２３ｃは、第１縦フレーム２１の前面の下部を覆うカバーである。また、第１横フレーム２２の下面には、浴槽２の側壁２ａの上面と接触可能な樹脂板２４が設けられていてもよい。
【００２５】
本実施形態では、図１に示すように、固定フレーム２０の下部には、下方に延びた支持棒２５が設けられている。支持棒２５の下端は、例えば浴室の床（図示せず）に接触しており、支持棒２５は本体１０を支持している。例えば、支持棒２５は、図３に示すように、第１縦フレーム２１と保護カバー２３ｂとの間に配置され、ネジ２５ａ（図２参照）によって第１縦フレーム２１に取り付けられている。なお、支持棒２５は、長さ調整が可能な機構を有していてもよい。
【００２６】
可動フレーム３０は、固定フレーム２０に対して前後方向に可動するものである。可動フレーム３０は、第２縦フレーム３１と、第２横フレーム３２とを有している。第２縦フレーム３１は、第１縦フレーム２１と対向しており、浴槽２の側壁２ａの他方側（図３では、側壁２ａの左側）に配置されている。本実施形態では、第２縦フレーム３１は、浴槽２の内側に配置されている。第２縦フレーム３１は、上下方向に延びており、浴槽２の側壁２ａと平行になるように配置されている。第２横フレーム３２は、第２縦フレーム３１の上端から後方（言い換えると、固定フレーム２０に向かう方向）に延びている。第２横フレーム３２は、第１横フレーム２２に対してスライド自在に設けられている。
【００２７】
本実施形態では、図２に示すように、第１横フレーム２２には、左右の中央部分において前後に並んだ複数（ここでは、２つ）の固定用ネジ孔２２ａ、および、固定用ネジ孔２２ａの左右両側に配置された一対のガイド用ネジ孔２２ｂが形成されている。第２横フレーム３２には、固定用ネジ孔２２ａに対応する位置に配置され、前後に並んだ複数（ここでは、５つ）の貫通孔３２ａ、および、一対のガイド用ネジ孔２２ｂに対応する位置に配置され、かつ、貫通孔３２ａの左右両側に配置され、前後に延びた一対のスリット３２ｂが形成されている。図３に示すように、第１横フレーム２２の一部と第２横フレーム３２の一部とを重ね、固定用ネジ孔２２ａおよび複数の貫通孔３２ａのうち２つの貫通孔３２ａに固定用ネジ２２ａａを挿入する。また、図２に示すように、ガイド用ネジ孔２２ｂおよびスリット３２ｂにガイド用ネジ２２ｂａを挿入する。このようにすることで、固定フレーム２０に対して可動フレーム３０を固定することができる。なお、図３に示すように、可動フレーム３０を固定フレーム２０に固定している状態において、可動フレーム３０の第２横フレーム３２の後部は保護カバー２３ａに覆われている。本実施形態では、固定用ネジ２２ａａが挿入される貫通孔３２ａを変更することで、第１縦フレーム２１と第２縦フレーム３１との距離を調整することができる。なお、本実施形態では、第１横フレーム２２および第２横フレーム３２によって、横フレーム３３が構成されている。横フレーム３３は、第１縦フレーム２１と第２縦フレーム３１とに架け渡されている。
【００２８】
上部グリップ１１（図１参照）は、例えば利用者が浴槽２を出入りする際に使用されるものである。上部グリップ１１は、本体１０の横フレーム３３の上方に配置されるように本体１０に設けられている。本実施形態では、図２に示すように、上部グリップ１１には、下方に延びた左右一対の支柱１１ａが設けられている。固定フレーム２０の第１縦フレーム２１の後部には、左右一対の円筒状の挿入部２６が設けられ、図１に示すように、挿入部２６に支柱１１ａがスライド自在に挿入されている。左右一対の支柱１１ａが挿入部２６に対してスライド移動することで、上部グリップ１１の高さを調整することが可能である。なお、上部グリップ１１の形状は特に限定されない。例えば、上部グリップ１１は、平面視において環状の部材である。なお、図３では、上部グリップ１１および一対の支柱１１ａは省略されている。
【００２９】
側部グリップ１２は、本発明のグリップの一例である。図３では、側部グリップ１２は省略されている。側部グリップ１２は、例えば浴槽２内で座っている利用者が立ち上がる際に使用されるものである。側部グリップ１２は、浴槽２の内側に配置される。図２に示すように、側部グリップ１２は、可動フレーム３０の第２縦フレーム３１の前面、言い換えると、第１縦フレーム２１とは反対側の面に設けられている。なお、側部グリップ１２の形状は特に限定されない。図４は、側部グリップ１２の斜視図である。図５は、側部グリップ１２およびノブ６３が第２縦フレーム３１に取り付けられた状態を示す側面断面図である。図６は、第２縦フレーム３１、側部グリップ１２、カバー１４およびノブ６３の分解斜視図である。図７は、側部グリップ１２およびノブ６３の斜視図である。図８は、側部グリップ１２、第２押圧板１６およびトルク伝達ハンドル１７の分解斜視図である。図４に示すように、側部グリップ１２は、取付部４１と、グリップ部４２とを有している。
【００３０】
図５に示すように、取付部４１は、第２縦フレーム３１に取り付けられる部位である。ここでは、取付部４１は、第２縦フレーム３１の前面に設けられている。図４に示すように、取付部４１は、上下方向に延びた矩形状かつ板状のものである。しかしながら、取付部４１の形状は特に限定されない。取付部４１には、上端から下方に向かって凹み、前後方向で取付部４１を貫通した貫通凹部４１ａが形成されている。貫通凹部４１ａは、取付部４１の上端の中央部分から取付部４１の中央部分に亘って形成されている。図７に示すように、貫通凹部４１ａの底面には、後述するノブ６３の拡径部６３ｃが載置される。言い換えると、貫通凹部４１ａの底部には、拡径部６３ｃが嵌め込まれる。そのため、貫通凹部４１ａの底部は、拡径部６３ｃに対応した形状をしている。ここでは、図４に示すように、貫通凹部４１ａの底部は、円柱部材が切り抜かれた形状である。図８に示すように、貫通凹部４１ａは、第２縦フレーム３１に形成された挿入孔３１ａと連通している。本実施形態では、図４に示すように、貫通凹部４１ａには、底部の前端の縁から取付部４１の中心に向かって延びたフランジ４５が設けられている。フランジ４５の後方には、ノブ６３の拡径部６３ｃ（図６参照）が配置される。フランジ４５は、拡径部６３ｃを後方に押し付けるものである。
【００３１】
本実施形態では、取付部４１には、複数の第１固定孔４６が形成されている。第１固定孔４６は、側部グリップ１２を第２縦フレーム３１に固定するための孔である。第１固定孔４６は、取付部４１を前後方向に貫通した孔である。ここでは、第１固定孔４６の数は、４つである。しかしながら、第１固定孔４６の数は特に限定されず、例えば１つであってもよいし、２つであってもよい。ここでは、第１固定孔４６は、貫通凹部４１ａよりも左側および右側にそれぞれ２つずつ設けられている。貫通凹部４１ａよりも左側に設けられた２つの第１固定孔４６は上下方向に並んで配置されている。貫通凹部４１ａよりも右側に設けられた２つの第１固定孔４６は上下方向に並んで配置されている。取付部４１を上下方向に均等に上部と下部の２分割したとき、第１固定孔４６は、取付部４１の上部および下部にそれぞれ２つ形成されている。ここでは、第１固定孔４６の内周面には、螺旋溝（言い換えると、雌ねじ）が形成されていないが、螺旋溝が形成されていてもよい。
【００３２】
本実施形態では、図６に示すように、第２縦フレーム３１には、側部グリップ１２を第２縦フレーム３１に取り付けたとき、第１固定孔４６に対応した位置に、第２固定孔３１ｂが形成されている。図５に示すように、側部グリップ１２を第２縦フレーム３１に取り付けたとき、第２固定孔３１ｂは第１固定孔４６と連通している。第２固定孔３１ｂの数は、第１固定孔４６と同じ４つである。ただし、第２固定孔３１ｂの数は特に限定されず、第１固定孔４６の数と異なっていてもよい。なお、図６では、３つの第２固定孔３１ｂが示されており、残りの１つの第２固定孔３１ｂの図示は省略されている。第２固定孔３１ｂの内周面には、螺旋溝（言い換えると、雌ねじ）が形成されている。
【００３３】
第１固定孔４６および第２固定孔３１ｂには、固定ネジ４３が挿入される。固定ネジ４３は、頭部４３ａと、軸部４３ｂとを有する。図５に示すように、頭部４３ａは、固定ネジ４３を第１固定孔４６および第２固定孔３１ｂに挿入したとき、第２固定孔３１ｂよりも第１縦フレーム２１と反対側（ここでは、前側）に位置する。本実施形態では、第１固定孔４６の前方の取付部４１の部位には、第１固定孔４６よりも径が大きい収容部４６ａが形成されていてもよい。第１固定孔４６および収容部４６ａは、互いに連通し、前後方向に並んでいる。収容部４６ａには、固定ネジ４３の頭部４３ａが収容される。頭部４３ａが収容部４６ａに収容されているとき、頭部４３ａは、取付部４１から前方に突出していない。
【００３４】
軸部４３ｂは、第１固定孔４６および第２固定孔３１ｂに挿入される。軸部４３ｂは、頭部４３ａから第１縦フレーム２１側（ここでは、後側）に延びている。軸部４３ｂの外周面には、第２固定孔３１ｂに形成された螺旋溝と螺合する螺旋溝（言い換えると、雄ねじ）が形成されている。本実施形態では、第１固定孔４６および第２固定孔３１ｂが連通するように、取付部４１を第２縦フレーム３１に配置する。そして、側部グリップ１２の正面から、軸部４３ｂが第２固定孔３１ｂと螺合するように、固定ネジ４３を第１固定孔４６および第２固定孔３１ｂに挿入する。このことによって、側部グリップ１２を第２縦フレーム３１に固定することができる。
【００３５】
グリップ部４２は、利用者が把持する部位である。図４に示すように、グリップ部４２は、左グリップ部４２Ｌと、右グリップ部４２Ｒとを有している。左グリップ部４２Ｌは、取付部４１の左側に設けられている。右グリップ部４２Ｒは、取付部４１の右側に設けられている。左グリップ部４２Ｌと右グリップ部４２Ｒとは、左右対称の形状を有している。左グリップ部４２Ｌは、取付部４１の左上部と左下部とに接続された略Ｕ字状に形成されており、少なくとも一部が湾曲している。右グリップ部４２Ｒは、取付部４１の右上部と右下部とに接続された略Ｕ字状に形成されており、少なくとも一部が湾曲している。本実施形態では、左グリップ部４２Ｌおよび右グリップ部４２Ｒは、取付部４１から離れるに従って、前方（言い換えると、第２縦フレーム３１から離れる方向）に突出している。ここでは、グリップ部４２の左右両端部（すなわち、左グリップ部４２Ｌの左部および右グリップ部４２Ｒの右部）は、取付部４１よりも前方に位置している。
【００３６】
図５に示すように、カバー１４は、側部グリップ１２の取付部４１に設けられるものであり、取付部４１および固定ネジ４３を覆うものである。ここでは、カバー１４は、取付部４１の正面および左右両側面を覆う。カバー１４の具体的な構成は特に限定されない。図９は、カバー１４の斜視図である。図９に示すように、カバー１４は、上カバー１４ａと、下カバー１４ｂとを有している。上カバー１４ａは、取付部４１の上部を覆うものである。図１に示すように、上カバー１４ａの少なくとも一部は、ノブ６３よりも上方に配置される。ここでは、図９に示すように、上カバー１４ａの下端の中央部分には、上方に凹んだ略半円状の嵌合部５５ａが形成されている。嵌合部５５ａには、ノブ６３の上部が嵌合する。下カバー１４ｂは、上カバー１４ａの下方に配置され、取付部４１の下部を覆うものである。図１に示すように、下カバー１４ｂの少なくとも一部は、ノブ６３よりも下方に配置される。ここでは、図９に示すように、下カバー１４ｂの上端の中央部分には、下方に凹んだ略半円状の嵌合部５５ｂが形成されている。嵌合部５５ｂには、ノブ６３の下部が嵌合する。ここでは、上カバー１４ａと下カバー１４ｂとを上下に配置したとき、嵌合部５５ａ、５５ｂによってノブ６３が挿入される挿入孔が構成される。
【００３７】
本実施形態では、カバー１４の後面には、複数の筒状凸部５６が設けられている。図５に示すように、筒状凸部５６は、固定ネジ４３の頭部４３ａを囲むものである。ここでは、カバー１４を側部グリップ１２の取付部４１に取り付けたとき、筒状凸部５６は、取付部４１の第１固定孔４６に形成された収容部４６ａに嵌め込まれる。筒状凸部５６は、収容部４６ａの側面と、固定ネジ４３の頭部４３ａとの間に位置する。筒状凸部５６の数は、固定ネジ４３の数と同じであり、ここでは４つである。筒状凸部５６は、取付部４１の第１固定孔４６に対応したカバー１４（詳しくは、上カバー１４ａおよび下カバー１４ｂ）の後面の位置に設けられている。筒状凸部５６は、カバー１４の後面から後方に向かって突出している。本実施形態では、図９に示すように、上カバー１４ａの後面に、左右方向に並ぶように２つの筒状凸部５６が設けられている。下カバー１４ｂの後面に、左右方向に並ぶように２つの筒状凸部５６が設けられている。
【００３８】
本実施形態では、上カバー１４ａの後面の下部の嵌合部５５ａの左右両側の部位には、左右方向に延びたリブ５７ａが設けられている。下カバー１４ｂの後面の上部の嵌合部５５ｂの左右両側の部位には、左右方向に延びたリブ５７ｂが設けられている。図５に示すように、これらリブ５７ａ、５７ｂは、取付部４１の前面に形成された溝４１ｂに挿入される。また、本実施形態では、図９に示すように、上カバー１４ａの後面の上部であって、上カバー１４ａの筒状凸部５６よりも上方には、２つの嵌合突起５８が左右方向に並んで設けられている。ここでは、図４に示すように、取付部４１の貫通凹部４１ａの上部の左右両側面には、嵌合凹部４７が形成されている。上カバー１４ａを取付部４１に取り付けたとき、２つの嵌合突起５８（図９参照）は、上記嵌合凹部４７に嵌まる。図９に示すように、下カバー１４ｂの後面の下部の中央部分であって、下カバー１４ｂの筒状凸部５６よりも下方には、嵌合突起５８ａが設けられている。ここでは、図４に示すように、取付部４１の貫通凹部４１ａの下方には、嵌合孔４７ａが形成されている。下カバー１４ｂを取付部４１に取り付けたとき、嵌合突起５８ａは、嵌合孔４７ａに嵌め込まれる。これらリブ５７ａ、５７ｂおよび嵌合突起５８、５８ａは、取付部４１に対するカバー１４の位置合わせをし易くする役割を担う。
【００３９】
また、本実施形態では、図９に示すように、上カバー１４ａの後面であって、筒状凸部５６とリブ５７ａとの間、かつ、嵌合部５５ａの左右両側の部位には、上カバー１４ａの後面から突出した爪部５９ａが形成されている。下カバー１４ｂの後面であって、筒状凸部５６とリブ５７ｂとの間、かつ、嵌合部５５ｂの左右両側の部位には、下カバー１４ｂの後面から突出した爪部５９ｂが形成されている。ここでは、図４に示すように、貫通凹部４１ａよりも左右両側の取付部４１の部位には、それぞれ爪孔４８ａ、４８ｂが形成されている。爪部５９ａ、５９ｂを爪孔４８ａ、４８ｂに引っ掛けることで、上カバー１４ａおよび下カバー１４ｂを取付部４１に確実に取り付けることができる。
【００４０】
図３に示すように、第１押圧板１５は、第１縦フレーム２１と第２縦フレーム３１との間であって、浴槽２の側壁２ａの一方側（図３では、側壁２ａの右側であり、浴槽２の外側）に配置される。第１押圧板１５は、第１縦フレーム２１の第２縦フレーム３１側の面（本実施形態では、前面）に設けられている。本実施形態では、第１縦フレーム２１の上部であって、第１縦フレーム２１の第２縦フレーム３１側の面には、支持部材２７が設けられている。支持部材２７の前部に第１押圧板１５が設けられている。なお、第１押圧板１５の形状および材料は特に限定されない。ここでは、第１押圧板１５は、左右に延びた矩形状の部材であり、樹脂製の部材である。
【００４１】
第２押圧板１６は、本発明の押圧板の一例である。第２押圧板１６は、第１縦フレーム２１と第２縦フレーム３１との間であって、浴槽２の側壁２ａの他方側（図３では、側壁２ａの左側であり、浴槽２の内側）に配置される。第２押圧板１６は、第１押圧板１５と対向しており、第２縦フレーム３１の第１縦フレーム２１側の面（本実施形態では、後面）に設けられている。第２押圧板１６の構成は特に限定されない。本実施形態では、第２押圧板１６は、図８に示すように、矩形状の本体板５１と、本体板５１の後面に設けられた矩形状の樹脂ラバー５２とを有している。詳しくは後述するが、図３に示すように、本体板５１は、後述のボルト軸６１の後端に設けられている。樹脂ラバー５２は、浴槽２の側壁２ａに接触する。図８に示すように、本体板５１の後面には円形の複数の凹部５１ａが形成され、樹脂ラバー５２の前面には円形の複数の凸部５２ａが形成されている。この凹部５１ａに凸部５２ａを嵌め込むことで、本体板５１に樹脂ラバー５２が装着される。ここでは、図３に示すように、第１押圧板１５と第２押圧板１６が浴槽２の側壁２ａを挟むことで、浴槽用手摺り１００を浴槽２に取り付けることができる。
【００４２】
トルク伝達ハンドル１７は、第２押圧板１６を第１縦フレーム２１に近づく方向と第１縦フレーム２１から離れる方向、すなわち、前後方向に移動させるものである。トルク伝達ハンドル１７は、第２縦フレーム３１に設けられている。トルク伝達ハンドル１７は、ボルト軸６１と、ナット６２と、ノブ６３と、トルク伝達機構６４とを備えている。ボルト軸６１は、前後方向に延びた部材である。ボルト軸６１の一端（ここでは、後端）は、第２押圧板１６を支持している。本実施形態では、図８に示すように、第２押圧板１６の本体板５１の中央部分には、ボルト軸６１の一端部分と嵌合する固定孔５１ｂが形成されている。ボルト軸６１の一端部分を固定孔５１ｂに挿通し、一端部分が露出した側からネジ５３によってネジ止めすることで、第２押圧板１６がボルト軸６１の一端に取り付けられる。
【００４３】
なお、第２押圧板１６とネジ５３との間には、プレート５４が設けられていてもよい。ここでは、第２縦フレーム３１の第２押圧板１６側の面には、ワッシャー６８およびフランジ板６９が設けられており、ネジ６９ｂによって第２縦フレーム３１に取り付けられている。フランジ板６９は、第１カバー６９ａに覆われている。第１カバー６９ａを覆うように第２カバー６９ｃが設けられ、第２カバー６９ｃは、ネジ６９ｄによって第２縦フレーム３１に取り付けられている。ボルト軸６１は、側部グリップ１２の取付部４１に設けられた貫通凹部４１ａ、第２縦フレーム３１の挿入孔３１ａ、ワッシャー６８、フランジ板６９、第１カバー６９ａ、第２カバー６９ｃに挿入されている。図５に示すように、ボルト軸６１の周面には、雄ねじが形成されている。また、ボルト軸６１の前端には、ナット６２の後述する螺合部７１の前端に接触するフランジ６１ａが設けられている。
【００４４】
ナット６２は、第２縦フレーム３１に回転自在に設けられている。ここでは、ナット６２は、側部グリップ１２の取付部４１の貫通凹部４１ａ（図４参照）、および、第２縦フレーム３１の挿入孔３１ａ（図８参照）に挿入され、ナット６２には、ボルト軸６１が挿入されている。本実施形態では、ナット６２は、螺合部７１と、筒部７２とを有する。螺合部７１は、ナット６２の後部の内部に形成されており、ボルト軸６１に形成された雄ねじと螺合する雌ねじが形成されている。筒部７２は、螺合部７１における第１縦フレーム２１と反対側に設けられている。筒部７２の内部にはナット側空間７３が形成されている。ナット側空間７３には、螺合部７１と螺合するボルト軸６１の一部が配置される。ナット側空間７３の径は、螺合部７１によって囲まれた空間の径よりも大きい。本実施形態では、ナット６２の前部の外周面には、フランジ７４が形成されている。また、ナット６２の後部の外周面には、溝状の凹部７５が形成されている。
【００４５】
ノブ６３は、ナット６２にトルク（言い換えると、回転力）を伝達するためのものである。ノブ６３は、ナット６２を覆うように第２縦フレーム３１に回転自在に設けられている。ノブ６３は、第２縦フレーム３１の第１縦フレーム２１とは反対側の面に配置されており、前方に向かって突出している。ノブ６３の構成は特に限定されない。図１０は、ノブ６３の側面断面図である。本実施形態では、ノブ６３は、把持部６３ａと、筒状部６３ｂと、拡径部６３ｃとを有している。把持部６３ａは、利用者が把持し、回転させるものである。把持部６３ａの形状は特に限定されない。例えば、把持部６３ａは、円筒状であり、かつ、外周面の一部に形成された複数の凹部６３ｄ（図８参照）を有している。この凹部６３ｄに利用者の指を配置することで、ノブ６３を握って回転させ易い。なお、把持部６３ａの前部は開口しており、その開口部分にはキャップ６３ｅが装着されている。
【００４６】
筒状部６３ｂは、把持部６３ａに接続されている。筒状部６３ｂは、把持部６３ａから後方に延びている。筒状部６３ｂの外周面の径Ｌ１２は、把持部６３ａの外周面の径Ｌ１１よりも小さい。ここでは、筒状部６３ｂの内周面の径Ｌ２２は、把持部６３ａの内周面の径Ｌ２１と同じである。しかしながら、筒状部６３ｂの内周面の径Ｌ２２は、把持部６３ａの内周面の径Ｌ２１よりも大きくてもよいし、小さくてもよい。拡径部６３ｃは、筒状部６３ｂの第１縦フレーム２１側の端（ここでは、後端）に接続されている。拡径部６３ｃは円筒状である。拡径部６３ｃの外周面の径Ｌ１３は、筒状部６３ｂの外周面の径Ｌ１２より大きい。ここでは、拡径部６３ｃの内周面の径Ｌ２３は、筒状部６３ｂの内周面の径Ｌ２２よりも大きいが、小さくてもよいし、筒状部６３ｂの内周面の径Ｌ２２と同じであってもよい。拡径部６３ｃの外周面の径Ｌ１３は、把持部６３ａの外周面の径Ｌ１１よりも小さいが、大きくてもよいし、把持部６３ａの外周面の径Ｌ１１と同じであってもよい。本実施形態では、拡径部６３ｃの前後方向の長さＬ３３は、筒状部６３ｂの前後方向の長さＬ３２よりも短く、かつ、把持部６３ａの前後方向の長さＬ３１よりも短い。しかしながら、長さＬ３３は、長さＬ３１、Ｌ３２よりも長くてもよいし、長さＬ３１、Ｌ３２と同じであってもよい。
【００４７】
ノブ６３は、側部グリップ１２の取付部４１の貫通凹部４１ａおよび第２縦フレーム３１に形成された挿入孔３１ａに挿入されている。図３に示すように、ノブ６３は、第２縦フレーム３１に対して回転可能である。ここでは、ノブ６３（詳しくは、把持部６３ａ、筒状部６３ｂおよび拡径部６３ｃ）の内部には、空間７６が形成されている。空間７６には、ナット６２およびボルト軸６１の少なくとも一部が配置されている。
【００４８】
トルク伝達機構６４は、伝達されるトルクが所定の値未満の場合、ノブ６３からナット６２へトルクを伝達する機構である。また、トルク伝達機構６４は、伝達されるトルクが所定の値以上の場合、ノブ６３からナット６２へのトルクの伝達を遮断する機構である。トルク伝達機構６４は、ノブ６３の空間７６に設けられている。図８に示すように、トルク伝達機構６４は、第１環状部材８１と、第２環状部材８２と、コイルバネ８３とを有している。
【００４９】
図３に示すように、第１環状部材８１および第２環状部材８２は、ナット６２を囲むように配置されている。図８に示すように、第１環状部材８１は板状の部材であるが、第１環状部材８１の形状は特に限定されない。第１環状部材８１は、ノブ６３と係合しており、ノブ６３が回転することで回転する。本実施形態では、第１環状部材８１には、外縁から放射方向に突出した複数の凸部８６が形成されている。図示は省略するが、ノブ６３の拡径部６３ｃの内周面には、凸部８６と嵌合する凹部が形成されている。この凸部８６と上記凹部とが嵌合することで、ノブ６３が回転すると共に第１環状部材８１が回転する。図１１は、第１環状部材８１と第２環状部材８２とが噛み合っている状態を示す図である。本実施形態では、図１１に示すように、第１環状部材８１は、ナット６２の軸に対して直交するトルク伝達面８７を有している。トルク伝達面８７とは、第１環状部材８１の第２環状部材８２側の面（ここでは、後面）のことである。トルク伝達面８７は、第２環状部材８２に当接可能である。
【００５０】
図８に示すように、第２環状部材８２は、第１環状部材８１の後方に配置されている。第２環状部材８２の形状は特に限定されない。ここでは、第２環状部材８２は、円盤状の円盤部８２ａと、円盤部８２ａから後方に突出した複数の突起８２ｂとを有している。図３に示すように、第２環状部材８２は、ナット６２と係合しており、ナット６２と共に回転する。本実施形態では、第２環状部材８２の突起８２ｂ（図８参照）の後端には、ネジ６９ｂによってネジ止めされたフランジ板６９が設けられている。このフランジ板６９は、ナット６２を囲むように配置されており、ナット６２に形成された溝状の凹部７５に嵌合している。本実施形態では、図１１に示すように、第２環状部材８２は、ナット６２の軸に対して直交するトルク伝受面８８を有している。ここでは、トルク伝受面８８は、円盤部８２ａの第１環状部材８１側の面（ここでは、前面）である。トルク伝受面８８は、第１環状部材８１のトルク伝達面８７に当接可能である。なお、図８に示すように、円盤部８２ａの後面には、ワッシャー８５が設けられていてもよい。
【００５１】
本実施形態では、トルク伝達面８７およびトルク伝受面８８は、それぞれ伝達されるトルクが所定の値未満の場合には滑らず、トルク伝達面８７とトルク伝受面８８とを相互に係止するように構成されている。伝達されるトルクが所定の値未満の場合、トルク伝達面８７とトルク伝受面８８とは噛み合っている。また、トルク伝達面８７およびトルク伝受面８８は、それぞれ伝達されるトルクが所定の値以上の場合には滑るように構成されている。
【００５２】
なお、トルク伝達面８７およびトルク伝受面８８が相互に係止したり、滑りが生じたりするための具体的な構成は特に限定されない。本実施形態では、図１１に示すように、トルク伝達面８７およびトルク伝受面８８の何れか一方には、凸部９１が形成されている。そして、トルク伝達面８７およびトルク伝受面８８の何れか他方には、凸部９１と嵌合する凹部９２が形成されている。ここでは、第１環状部材８１のトルク伝達面８７に凸部９１が形成されている。第２環状部材８２のトルク伝受面８８に凹部９２が形成されている。なお、凸部９１の数および凹部９２の数は特に限定されず、それぞれ１つであってもよいし、複数であってもよい。なお、トルク伝達面８７およびトルク伝受面８８において、凸部９１の一部および凹部９２の一部には、互いに当接する傾斜面が形成されていてもよい。この傾斜面は、第２押圧板１６が第１縦フレーム２１に向かう方向（ここでは、後方）に移動するようにノブ６３を回転させるとき、互いの傾斜面を昇るように勾配が付けられている。
【００５３】
図３に示すように、コイルバネ８３は、ナット６２を囲むように配置されている。詳しくは、コイルバネ８３は、ノブ６３の空間７６に配置されており、圧縮された状態で、ナット６２のフランジ７４と、第１環状部材８１との間に介在している。コイルバネ８３は、トルク伝達面８７とトルク伝受面８８とが当接するように、第１環状部材８１を第２環状部材８２に向けて付勢する。
【００５４】
本実施形態では、コイルバネ８３の弾性力によって、トルク伝達面８７とトルク伝受面８８の間には常に一定の摩擦力が生じている。このとき、ノブ６３からナット６２へ伝達されるトルクが所定の値未満の場合、図１１に示すように、凸部９１と凹部９２とが嵌合している状態となる。そのため、ノブ６３と共にナット６２が回転するため、ノブ６３からナット６２にトルクが伝達される。一方、ノブ６３からナット６２へ伝達されるトルクが所定の値以上の場合、凸部９１と凹部９２との嵌合状態が解除され、トルク伝達面８７とトルク伝受面８８との間で滑りが生じ、トルク伝達面８７がトルク伝受面８８に対してスライドする。そのため、ノブ６３の回転と共にナット６２が回転しないため、ノブ６３からナット６２へトルクが伝達されない。
【００５５】
以上、本実施形態に係る浴槽用手摺り１００の構成について説明した。次に、側部グリップ１２およびノブ６３を、本体１０の第２縦フレーム３１に取り付ける手順について説明する。本実施形態では、側部グリップ１２およびノブ６３を第２縦フレーム３１に同時に取り付けることができる。まず、図７に示すように、ノブ６３の拡径部６３ｃを、側部グリップ１２の取付部４１の貫通凹部４１ａに嵌め込む。このことで、拡径部６３ｃの前端が貫通凹部４１ａに設けられたフランジ４５（図４参照）に接触した状態となる。このような状態で、第２縦フレーム３１の正面から、側部グリップ１２を第２縦フレーム３１に取り付ける。このとき、図５に示すように、取付部４１に形成された複数の第１固定孔４６と、第２縦フレーム３１に形成された複数の第２固定孔３１ｂとが連通するように、側部グリップ１２を配置する。次に、図６に示すように、第２縦フレーム３１の正面から、ドライバーなどの工具を利用して、第１固定孔４６および第２固定孔３１ｂに固定ネジ４３を挿入する。このとき、図５に示すように、固定ネジ４３は、第２固定孔３１ｂと螺合するため、側部グリップ１２は第２縦フレーム３１に固定される。なお、側部グリップ１２が第２縦フレーム３１に固定されたとき、固定ネジ４３と第２固定孔３１ｂとが螺合して、貫通凹部４１ａのフランジ４５の位置が固定される。そのため、ノブ６３の拡径部６３ｃは、フランジ４５によって、第２縦フレーム３１側に押さえ付けられた状態となる。よって、ノブ６３は、固定ネジ４３によって第２縦フレーム３１に固定される。
【００５６】
側部グリップ１２とノブ６３を同時に第２縦フレーム３１に取り付けた後、取付部４１を覆うようにカバー１４を取り付ける。具体的には、上カバー１４ａを取付部４１の上部に取り付け、かつ、下カバー１４ｂを取付部４１の下部に取り付ける。上カバー１４ａを取付部４１に取り付ける際、図５に示すように、リブ５７ａを取付部４１の溝４１ｂに挿入し、嵌合突起５８（図９参照）を、取付部４１の貫通凹部４１ａの嵌合凹部４７（図４参照）に嵌めることで、上カバー１４ａの位置合わせを容易に行うことができる。なお、上カバー１４ａの爪部５９ａ（図９参照）を、取付部４１の爪孔４８ａ（図４参照）に引っ掛けることで、上カバー１４ａが取付部４１から外れ難くすることができる。下カバー１４ｂを取付部４１に取り付ける際、リブ５７ｂを取付部４１の溝４１ｂに挿入し、嵌合突起５８ａ（図９参照）を嵌合孔４７ａ（図４参照）に嵌め込むことで、下カバー１４ｂの位置合わせを容易に行うことができる。そして、下カバー１４ｂの爪部５９ｂ（図９参照）を取付部４１の爪孔４８ｂ（図４参照）に引っ掛けることで、下カバー１４ｂが取付部４１から外れ難くすることができる。なお、カバー１４を取付部４１に取り付けたとき、固定ネジ４３の頭部４３ａは、筒状凸部５６に覆われた状態となる。
【００５７】
次に、浴槽用手摺り１００を浴槽２の側壁２ａに取り付ける手順について説明する。まず、図３に示すように、第１縦フレーム２１と第２縦フレーム３１との間に浴槽２の側壁２ａが配置されるように、浴槽用手摺り１００を浴槽２に配置する。このとき、第１押圧板１５と第２押圧板１６との間に浴槽２の側壁２ａが配置されている。なお、仮に側壁２ａの厚みが薄い場合や厚い場合には、固定用ネジ２２ａａが挿入される第２横フレーム３２の貫通孔３２ａを変更することで、第１押圧板１５と第２押圧板１６との間の距離を調整するとよい。次に、第２押圧板１６が第１縦フレーム２１側、すなわち、後方に移動するように、ノブ６３を回転させる。
【００５８】
本実施形態では、第２押圧板１６が前後方向に移動する際、本体１０、ナット６２、ノブ６３、第１環状部材８１および第２環状部材８２の前後方向における相対的な位置は変更されない。ここでは、ナット６２に対して、ボルト軸６１が前後方向に移動することで、第２押圧板１６が前後方向に移動する。第２押圧板１６が後方に移動するように、ノブ６３を回転させるとき、ナット６２へ伝達される予定のトルクが所定の値未満の場合、ノブ６３からナット６２へトルクが伝達される。具体的には、ノブ６３が回転することで、第１環状部材８１が共に回転する。このとき、第１環状部材８１は、コイルバネ８３によって第２環状部材８２に押し付けられた状態であり、トルクが所定の値未満のとき、図１１に示すように、トルク伝達面８７の凸部９１とトルク伝受面８８の凹部９２とが嵌合している。そのため、第１環状部材８１の回転と共に、第２環状部材８２が回転する。本実施形態では、第２環状部材８２はナット６２と係合しているため、第２環状部材８２が回転することで、ナット６２が回転する。このようにして、ノブ６３からナット６２へトルクが伝達される。
【００５９】
図３に示すように、ノブ６３からナット６２へトルクが伝達されたとき、ナット６２は、第２縦フレーム３１に対して回転する。このとき、ナット６２の螺合部７１に螺合しているボルト軸６１は、ナット６２の回転によって、後方に移動する。ボルト軸６１が後方に移動することで、螺合部７１から前方に突出したボルト軸６１の部位の突出長さが短くなる。ボルト軸６１の後方への移動に伴い、第２押圧板１６が後方へ移動する。そして、第１押圧板１５と第２押圧板１６との間の距離が短くなり、第２押圧板１６は、浴槽２の側壁２ａを第１押圧板１５に押し付ける。このことによって、浴槽用手摺り１００を浴槽２の側壁２ａに強固に取り付けることができる。
【００６０】
なお、本実施形態では、ノブ６３を回転させるとき、ナット６２へ伝達される予定のトルクが所定の値以上の場合、ノブ６３からナット６２へトルクが伝達されず、第２押圧板１６は前後方向に移動しない。ここでは、ノブ６３が回転することで、第１環状部材８１が共に回転する。このとき、第１環状部材８１は、コイルバネ８３によって第２環状部材８２に押し付けられた状態であり、トルクが所定の値以上のとき、トルク伝達面８７の凸部９１とトルク伝受面８８の凹部９２との嵌合状態が解除される。そのため、トルク伝達面８７がトルク伝受面８８に対してスライドするため、第１環状部材８１の回転と共に、第２環状部材８２が回転しない。そのため、トルクが所定の値以上の場合には、第２環状部材８２が回転しないため、ナット６２が回転しない。よって、ボルト軸６１が前後方向に移動しないため、第２押圧板１６は前後方向に移動しない。
【００６１】
以上、本実施形態では、図６に示すように、側部グリップ１２の正面から、固定ネジ４３の軸部４３ｂを取付部４１の第１固定孔４６、および、第２縦フレーム３１の第２固定孔３１ｂに挿入することで、側部グリップ１２を第２縦フレーム３１に取り付けることができる。また、側部グリップ１２が第２縦フレーム３１に取り付けられている状態において、側部グリップ１２の正面から固定ネジ４３の軸部４３ｂを取付部４１の第１固定孔４６、および、第２縦フレーム３１の第２固定孔３１ｂから引き抜くことで、側部グリップ１２を第２縦フレーム３１から取り外すことができる。よって、浴槽用手摺り１００が組み立てられた状態において、側部グリップ１２の第２縦フレーム３１への取り付け、および、側部グリップ１２の第２縦フレーム３１からの取り外しを容易に行うことができる。したがって、側部グリップ１２をメンテナンスする際、側部グリップ１２の着脱を容易に行うことができる。
【００６２】
本実施形態では、図７に示すように、ノブ６３は、取付部４１の貫通凹部４１ａの底面に載置された状態で、第２縦フレーム３１の挿入孔３１ａ（図８参照）に挿入されている。よって、側部グリップ１２に対するノブ６３の位置をズレ難くすることができる。また、ノブ６３を取付部４１の貫通凹部４１ａの底面に載置させた状態で、ノブ６３および取付部４１を同時に第２縦フレーム３１に取り付けることができる。よって、浴槽用手摺り１００の組み立て時間を軽減することができる。
【００６３】
本実施形態では、ノブ６３の拡径部６３ｃは、貫通凹部４１ａの底面に載置された状態において、貫通凹部４１ａには、拡径部６３ｃの前側に配置されたフランジ４５（図４参照）が設けられている。このことによって、側部グリップ１２を第２縦フレーム３１に取り付けた際、ノブ６３の拡径部６３ｃは、貫通凹部４１ａのフランジ４５と第２縦フレーム３１とによって挟持された状態で、第２縦フレーム３１に取り付けられる。よって、ノブ６３が第２縦フレーム３１から取り外され難くすることができる。また、側部グリップ１２を第２縦フレーム３１に取り付けための固定ネジ４３で、ノブ６３を第２縦フレーム３１に取り付けることができる。よって、部品点数を減らすことができる。
【００６４】
本実施形態では、図５に示すように、取付部４１および固定ネジ４３はカバー１４によって覆われている。よって、取付部４１および固定ネジ４３が外部に露出することで美観が損なわれなくすることができる。
【００６５】
本実施形態では、カバー１４の後面には、固定ネジ４３の頭部４３ａと接触し、頭部４３ａを囲む筒状凸部５６が設けられている。例えば、浴槽用手摺り１００を長期間使用することで、固定ネジ４３と第２縦フレーム３１の第２固定孔３１ｂとの固定状態が緩んで、固定ネジ４３の頭部４３ａが取付部４１から突出することがあり得る。しかしながら、上記実施形態では、固定ネジ４３の頭部４３ａは、筒状凸部５６に囲まれており、筒状凸部５６に接触している。よって、筒状凸部５６との接触によって、固定ネジ４３の頭部４３ａが取付部４１からより突出し難くなる。したがって、固定ネジ４３と第２縦フレーム３１の第２固定孔３１ｂとの固定状態を緩み難くすることができる。
【００６６】
以上、本実施形態に係る浴槽用手摺り１００について説明した。次に、他の実施形態に係る浴槽用手摺り２００について説明する。なお、以下の説明において、既に説明した構成と同様の構成には同じ符号を使用し、その説明は適宜省略する。図１２は、他の実施形態に係る可動フレーム３０、側部グリップ１１２、カバー１１４、第２押圧板１６およびノブ６３の分解斜視図である。図１３は、他の実施形態に係る側部グリップ１１２およびノブ６３が第２縦フレーム３１に取り付けられた状態を示す側面断面図である。上記実施形態では、正面から固定ネジ４３を操作することで、側部グリップ１２およびノブ６３を第２縦フレーム３１に取り付けることができた。しかしながら、本実施形態では、図１２に示すように、後面から固定ネジ１４３を操作することで、側部グリップ１１２およびノブ６３を第２縦フレーム３１に取り付けることができる。
【００６７】
本実施形態では、ノブ６３の構成は、上記実施形態のノブ６３と同じである。側部グリップ１１２は、取付部１４１と、上記実施形態のグリップ部４２と同様のグリップ部１４２を有している。取付部１４１は、第１固定孔１４６の内周面に螺旋溝が形成されている以外は、上記実施形態の取付部４１と同じ構成である。第２縦フレーム３１に形成された第２固定孔１３１ｂには、螺旋溝が形成されていない。しかしながら、第２固定孔１３１ｂには、螺旋溝が形成されていてもよい。
【００６８】
本実施形態では、図１３に示すように、第１固定孔１４６および第２固定孔１３１ｂには、固定ネジ１４３が挿入される。固定ネジ１４３は、頭部１４３ａと、軸部１４３ｂとを有する。頭部１４３ａは、固定ネジ１４３を第１固定孔１４６および第２固定孔１３１ｂに挿入したとき、第２固定孔１３１ｂよりも第１縦フレーム２１側（ここでは、後側）に位置する。軸部１４３ｂは、第１固定孔１４６および第２固定孔１３１ｂに挿入される。軸部１４３ｂは、頭部１４３ａから第１縦フレーム２１とは反対側（ここでは、前側）に延びている。軸部１４３ｂの外周面には、第１固定孔１４６に形成された螺旋溝と螺合する螺旋溝が形成されている。
【００６９】
本実施形態では、図１２に示すように、ボルト軸６１から第２押圧板１６が取り外された状態で、側部グリップ１１２およびノブ６３は、第２縦フレーム３１に取り付けられる。まず、ノブ６３の拡径部６３ｃを、側部グリップ１１２の取付部１４１の貫通凹部４１ａに嵌め込む。このような状態で、第２縦フレーム３１の正面から、側部グリップ１１２を第２縦フレーム３１に取り付ける。このとき、取付部１４１に形成された複数の第１固定孔１４６と、第２縦フレーム３１に形成された複数の第２固定孔１３１ｂとが連通するように、側部グリップ１１２を配置する。次に、第２縦フレーム３１の後側から、ドライバーなどの工具を利用して、第１固定孔１４６および第２固定孔１３１ｂに固定ネジ１４３を挿入する。このとき、固定ネジ１４３は、第１固定孔１４６と螺合するため、側部グリップ１１２は第２縦フレーム３１に固定される。同時に、貫通凹部４１ａのフランジ４５によって、ノブ６３の拡径部６３ｃが第２縦フレーム３１側に押さえつけられた状態となる。よって、ノブ６３は、第２縦フレーム３１に固定される。
【００７０】
なお、本実施形態であっても、取付部４１には、カバー１１４が取り付けられてもよい。このカバー１１４は、上カバー１１４ａと、下カバー１１４ｂとを有している。上カバー１１４ａおよび下カバー１１４ｂは、それぞれ後面に上記実施形態の筒状凸部５６（図９参照）が設けられていない以外は、上記実施形態の上カバー１４ａおよび下カバー１４ｂと同様の構成である。
【００７１】
上記各実施形態では、固定ネジ４３、１４３によって、側部グリップ１２、１１２およびノブ６３は、第２縦フレーム３１に取り付けられていた。しかしながら、固定ネジ４３、１４３によって、側部グリップ１２、１１２が第２縦フレーム３１に取り付けられ、ノブ６３は、ノブ６３専用の固定部材によって第２縦フレーム３１に取り付けられてもよい。
【００７２】
上記各実施形態では、トルク伝達ハンドル１７は、第２縦フレーム３１に設けられ、浴槽２の内側に設けられていた。しかしながら、トルク伝達ハンドル１７は、第１縦フレーム２１に設けられ、浴槽２の外側に設けられてもよい。
【００７３】
上記各実施形態では、カバー１４、１１４は、上カバー１４ａ、１１４ａと、下カバー１４ｂ、１１４ｂとを有し、２つの部材によって構成されていた。しかしながら、カバー１４、１１４は、１つの部材によって構成されていてもよいし、３つ以上の部材によって構成されてもよい。
【符号の説明】
【００７４】
１０  本体
１２  側部グリップ（グリップ）
１４  カバー
１６  第２押圧板（押圧板）
２１  第１縦フレーム
３１  第２縦フレーム
３１ｂ  第２固定孔
３３  横フレーム
４１  取付部
４１  貫通凹部
４２  グリップ部
４３  固定ネジ
４３ａ  頭部
４３ｂ  軸部
４５  フランジ
４６  第１固定孔
５６  筒状凸部
６３  ノブ
６３ｃ  拡径部
１００、２００  浴槽用手摺り
【図１】
2019107362.tif 000003
【図２】
2019107362.tif 000004
【図３】
2019107362.tif 000005
【図４】
2019107362.tif 000006
【図５】
2019107362.tif 000007
【図６】
2019107362.tif 000008
【図７】
2019107362.tif 000009
【図８】
2019107362.tif 000010
【図９】
2019107362.tif 000011
【図１０】
2019107362.tif 000012
【図１１】
2019107362.tif 000013
【図１２】
2019107362.tif 000014
【図１３】
2019107362.tif 000015